(57)【要約】【課題】通路内に空気の流すことができる送風装置を提供する。【解決手段】送風装置１は、複数のファン２と、複数のファン２を制御する制御部３とを備える。複数のファン２は、廊下５（通路）を囲むように配置され、廊下５に沿った向きの気流を生成する。【選択図】図１
2017032246.tif 000002
【特許請求の範囲】
【請求項１】
複数のファンと、
前記複数のファンを制御する制御部とを備え、
前記複数のファンは、通路を囲むように配置され、前記通路に沿った向きの気流を生成する
ことを特徴とする送風装置。
【請求項２】
前記通路を形成する構造物の少なくとも一部に沿って配置され、前記複数のファンを支持する支持体をさらに備える
ことを特徴とする請求項１記載の送風装置。
【請求項３】
前記支持体は、前記ファンの吸気側に形成された吸気孔、及び前記ファンの排気側に形成された排気孔を有し、
前記ファンは、前記吸気孔を介して吸入した空気を前記排気孔を介して排出することで前記気流を生成する
ことを特徴とする請求項２記載の送風装置。
【請求項４】
前記ファンの吸気側と排気側との少なくとも一方側に設けられるエアフィルタをさらに備える
ことを特徴とする請求項１〜３のいずれか１項に記載の送風装置。
【請求項５】
前記制御部は、前記ファンが生成する前記気流の強さを制御する
ことを特徴とする請求項１〜４のいずれか１項に記載の送風装置。
【請求項６】
前記気流の通気路の断面積を調整する通気量調整部材をさらに備える
ことを特徴とする請求項１〜５のいずれか１項に記載の送風装置。
【請求項７】
請求項１〜６のいずれか１項に記載の送風装置と、
環境情報を取得する外部装置とを備え、
前記制御部は、前記外部装置が取得した前記環境情報に基づいて前記ファンを制御する
ことを特徴とする送風システム。
【請求項８】
前記外部装置は、前記通路に流れる気流の量を計測する風量センサを含み、
前記制御部は、前記風量センサの計測結果に基づいて前記ファンを制御する
ことを特徴とする請求項７記載の送風システム。
【請求項９】
前記外部装置は、人を検知する人感センサを含み、
前記制御部は、前記人感センサの検知結果に基づいて前記ファンを制御する
ことを特徴とする請求項７または８記載の送風システム。
【請求項１０】
前記外部装置は、空調設備の動作状態を前記環境情報として取得し、
前記制御部は、前記空調設備の動作状態に基づいて前記ファンを制御する
ことを特徴とする請求項７〜９のいずれか１項に記載の送風システム。
【発明の詳細な説明】
【技術分野】
【０００１】
本発明は、一般に、送風装置、及びこれを用いた送風システム、より詳細には、気流を生成する送風装置、及びこれを用いた送風システムに関する。
【背景技術】
【０００２】
従来、室内空気を循環させるサーキュレータ（送風装置）が知られている（例えば、特許文献１参照）。特許文献１のサーキュレータは、床側の空気を取り入れて、天井側から送風することで、上下方向における空気の循環を行う。
【先行技術文献】
【特許文献】
【０００３】
【特許文献１】特開平１０−３３２１８２号公報
【発明の概要】
【発明が解決しようとする課題】
【０００４】
例えば住宅などの廊下（通路）には、空調設備が設けられていることが少なく、また窓などから離れた位置にある廊下は風が通り抜けにくかった。そのため、通路内における送風が望まれていた。
【０００５】
本発明は、上記事由に鑑みてなされており、その目的は、通路内に空気を流すことができる送風装置、及びこれを用いた送風システムを提供することにある。
【課題を解決するための手段】
【０００６】
本発明の送風装置は、複数のファンと、前記複数のファンを制御する制御部とを備え、前記複数のファンは、通路を囲むように配置され、前記通路に沿った向きの気流を生成することを特徴とする。
【０００７】
本発明の送風システムは、上記の送風装置と、環境情報を取得する外部装置とを備え、前記制御部は、前記外部装置が取得した前記環境情報に基づいて前記ファンを制御することを特徴する。
【発明の効果】
【０００８】
本発明の送風装置、及び送風システムでは、通路内に空気を流すことができるという効果がある。
【図面の簡単な説明】
【０００９】
【図１】実施形態における送風装置の概略構成図である。
【図２】図１におけるＡ−Ａ断面図である。
【図３】実施形態における通気量調整部材を備えた送風装置の断面図である。
【図４】実施形態における支持体の変形例を示す断面図である。
【図５】実施形態における送風装置の変形例の概略構成図である。
【図６】図６Ａは、ファンの変形例の正面図である。図６Ｂは、ファンの変形例の側面図である。図６Ｃは、ファンの変形例の背面図である。
【図７】実施形態における送風装置の別の変形例の概略構成図である。
【図８】実施形態における送風システムのブロック構成図である。
【発明を実施するための形態】
【００１０】
以下、本発明の実施の形態を図面に基づいて説明する。なお、下記の実施形態において説明する各図は、模式的な図であり、各構成要素の大きさや厚さそれぞれの比が必ずしも実際の寸法比を反映しているとは限らない。
【００１１】
（実施形態）
図１，図２に、本実施形態の送風装置１の概略構成図を示す。本実施形態の送風装置１は、通路に設けられ、通路に沿った向きに送風する装置である。本実施形態において、送風装置１が設けられる通路は、住宅などの建物内において異なる空間（例えば部屋、玄関など）同士を繋ぐ廊下５である。廊下５は、構造物である床５１、天井５２、及び壁５３で囲われることで形成されている。
【００１２】
送風装置１は、複数（本実施形態では６つ）のファン２と、複数のファン２を制御する制御部３と、複数のファン２を支持する支持体４とを備える。
【００１３】
支持体４は、廊下５を形成する構造物（床５１、天井５２、及び壁５３）に沿って配置されている。具体的には、支持体４は、床５１に沿って配置された下辺部４１１、天井５２に沿って配置された上辺部４１２、互いに対向する一対の壁５３それぞれに沿って配置された側辺部４１３とが組み合わされて矩形枠状に形成されている。下辺部４１１、上辺部４１２、一対の側辺部４１３それぞれは、長方向に直交する断面が矩形状に形成されている。
【００１４】
図２に示すように、支持体４の内部は、一部が空洞になっており、ファン２を収納する収納部４２が設けられている。収納部４２は、矩形枠状に形成された支持体４の四隅（上辺部４１２及び下辺部４１１それぞれと側辺部４１３との接続部）と、上下方向における側辺部４１３それぞれの中央部とに設けられている。収納部４２の各々には、１つのファン２が収納される。
【００１５】
ファン２は、モータを用いて羽根を回転させる送風機である。ファン２は、、例えばプロペラファンで構成され、収納部４２に配置されている。ファン２は、所定方向に羽根が回転した場合、モータの回転軸の軸方向における一方側（図２の右側）から空気を吸い込み、他方側（図２の左側）に向かって空気を送り出すように、収納部４２に収納されている。図２では、ファン２によって生成される空気の流れの概略を、点線矢印で示してある。なお、図２に示すファン２は、模式的な図であり、実際の形状を表しているとは限らない。
【００１６】
また、支持体４における廊下５に沿った方向の一方側（図２の右側）の第１面４４１には、各収納部４２に連続する複数の吸気孔４５が形成されている。また、支持体４の内部において、各収納部４２の他方側（図２の左側）には、通気部４３が設けられている。通気部４３は、空気を通す通気路であり、支持体４の他方側（図２の左側）の第２面４４２に沿って形成されており、各収納部４２に連続している。支持体４の第２面４４２の全面にわたって、複数の排気孔４６が形成されている。排気孔４６は、支持体４の下辺部４１１、上辺部４１２、側辺部４１３それぞれの長手方向に沿って、所定の間隔で形成されている。
【００１７】
各ファン２の吸気側（図２の右側）には、エアフィルタ４８（Air filter）が設けられている。エアフィルタ４８は、例えば中性能フィルタ、ＨＥＰＡ（High Efficiency Particulate Air Filter）などで構成されており、エアフィルタ４８を通過する空気から塵埃などを取り除く。
【００１８】
制御部３は、各ファン２を制御する。制御部３と各ファン２とは、信号線を介して電気的に接続されており、制御部３は、信号線を介して各ファン２に制御信号を送信することで、各ファン２を制御する。制御部３は、各ファン２の稼働及び停止だけでなく、各ファン２の送風量（羽根の回転数）も制御する。なお、制御部３は、制御信号を無線で各ファン２に送信するように構成されていてもよい。
【００１９】
また、壁５３には、操作器３１が設けられている。操作器３１は、例えばスイッチを備えており、ユーザからの操作指示を受け付けるように構成されている。操作器３１は、受け付けた操作指示の指示内容を制御部３に伝達し、制御部３は、指示内容に基づいて各ファン２を制御する。ユーザは、操作器３１を操作することで、ファン２の稼働、停止、送風量の調整などを行うことができる。なお、制御部３及び操作器３１は、支持体４に設けられていてもよい。
【００２０】
ファン２の羽根が所定方向に回転することによって、支持体４の第１面４４１に形成された吸気孔４５を通して吸入された空気が通気部４３に送り込まれる。そして、通気部４３に送り込まれた空気は、支持体４の第２面４４２に形成された複数の排気孔４６の各々から排出される。すなわち、ファン２によって、廊下５に沿った向きの気流が生成され、廊下５内に空気を流すことが可能となる。廊下５内に空気が流れることで、廊下５が自然風が通り抜けにくい位置にある場合でも、建物内における温度差の抑制を図ることが可能となる。
【００２１】
また、廊下５を囲うように配置された支持体４において、第２面４４２の全面にわたって形成された複数の排気孔４６の各々から空気が排出される。排気孔４６から排出された空気に周辺の空気が巻き込まれる誘引気流が発生し、支持体４の内側にも気流が生成される。これにより、吸気孔４５を通して吸入された空気量よりも多い空気量の空気が廊下５に流れ、廊下５の断面に対して気流が通る空間の割合が大きくなる。すなわち、廊下５に立体的で風量が大きい気流が生成され、送風装置１は、廊下５に流れる空気の送風効率を向上させることが可能となる。
【００２２】
また、ファン２の吸気側（図２の右側）に設けられたエアフィルタ４８により、ファン２を通過する空気から塵埃などが除去され、空気清浄機能を実現することが可能となる。なお、エアフィルタ４８は、ファン２の排気側（図２の左側）、例えば、各収納部４２と通気部４３との境界部に設けられていてもよい。あるいは、エアフィルタ４８は、排気孔４６を塞ぐように設けられていてもよい。この場合、ファン２が停止しているときに、外部から排気孔４６を通して通気部４３へ埃などが入り込むのを抑制することが可能となる。また、エアフィルタ４８は、ファン２の吸気側と排気側との両側に設けられていてもよい。
【００２３】
また、制御部３は、ファン２の羽根の回転数を制御することで、ファン２が生成する気流の強さを制御可能に構成されている。これにより、制御部３は、廊下５に流れる空気の量（空気量）、風速、風圧などを制御する送風制御を行うことができる。制御部３の送風制御によって、例えば廊下５に流れる空気の強さを時間変化させるリズム送風を行うことも可能である。
【００２４】
また、制御部３は、各ファン２を個別に制御可能に構成されている。これにより、各ファン２が生成する気流の強さが互いに異なるように制御することができ、例えば天井５２側、あるいは床５１側の空気を重点的に流すように制御することが可能となる。
【００２５】
また、制御部３は、ファン２の羽根の回転方向を切り替えることで、廊下５に流れる空気の向きを切り替えることができる。
【００２６】
また、図３に示すように、支持体４に、通気量を調整する通気量調整部材４９が設けられていてもよい。
【００２７】
通気量調整部材４９は、支持体４の第２面４４２の外形と略同形状に形成された矩形枠状の板材（パネル）であり、支持体４に対して上下方向（図３の実線矢印参照）にスライド可能に支持されている。通気量調整部材４９には、複数の通気孔４９１が通気量調整部材４９の全周にわたって形成されている。通気量調整部材４９のうち、各通気孔４９１を除く部位を閉塞部４９２とする。通気孔４９１の開口寸法は、支持体４に形成された排気孔４６の開口寸法と略同じ寸法に形成されている。通気量調整部材４９は、上下方向にスライドすることで、通気孔４９１が排気孔４６と対向する開位置と、閉塞部４９２が排気孔４６と対向する閉位置との間を変化し、排気孔４６の露出面積（開口面積）が変化する。すなわち、通気量調整部材４９が上下方向にスライドすることで、ファン２が生成する気流の通気路の断面積が調整され、廊下５に流れる空気の強さを調整することが可能となる。
【００２８】
なお、通気量調整部材４９は、左右方向にスライドすることで、通気孔４９１が排気孔４６と対向する開位置と、閉塞部４９２が排気孔４６と対向する閉位置との間を変化するように構成されていてもよい。また、通気量調整部材４９は、支持体４の下辺部４１１、上辺部４１２、一対の側辺部４１３とそれぞれ対向する下辺部、上辺部、一対の側辺部が独立してスライド可能に構成されていてもよい。この場合、例えば、通気量調整部材４９の下辺部、上辺部、一対の側辺部がそれぞれの長手方向に沿ってスライド可能に構成されていることが望ましい。これにより、通気量調整部材４９の下辺部、上辺部、一対の側辺部それぞれの幅（長手方向に対する直交方向の寸法）を狭くすることが可能となる。また、通気量調整部材４９の下辺部、上辺部、一対の側辺部それぞれの幅を狭く設定することで、通気量調整部材４９をスライド可能に支持する支持体４においても、下辺部４１１、上辺部４１２、一対の側辺部４１３それぞれの幅を狭くすることが可能となる。
【００２９】
また、通気量調整部材４９は、閉位置にある場合、閉塞部４９２が排気孔４６の一部を覆うように構成されていてもよい。また、通気量調整部材４９は、支持体４に固定され、複数の排気孔４６のうち一部の排気孔４６を閉塞し、残りの排気孔４６を開放するように構成されていてもよい。
【００３０】
また、図１に示す例では、通気部４３は、断面が均一に形成されているが、この構成に限らない。図４に示すように、収納部４２から離れるにつれて通気部４３の断面積が大きくなるように、支持体４に凹部４７が設けられている。この凹部４７によって、収納部４２から離れるにつれて通気部４３の空間が拡がり、ファン２から離れた位置に設けられた排気孔４６から排出される気流の強さを強くすることができる。すなわち、ファン２からの距離に関わらず、複数の排気孔４６の各々から排出される気流の強さの均一化を図ることができる。これにより、効率よく誘引気流を発生させることができ、廊下５に流れる空気の送風効率をより向上させることが可能となる。なお、図４に示す例では、凹部４７は、収納部４２から離れるにつれて通気部４３の断面積が連続的に大きくなるように、傾斜面で形成されているが、これに限らない。凹部４７は、収納部４２から離れるにつれて通気部４３の断面積が段階的に大きくなるように、段状の面で形成されていてもよい。
【００３１】
また、支持体４の第２面４４２に形成された複数の排気孔４６の各々の開口寸法は、複数の排気孔４６で異なるように構成されていてもよい。例えば、収納部４２から離れた位置に設けられた排気孔４６の開口寸法を、収納部４２に近い位置に設けられた排気孔４６の開口寸法よりも大きく設定する。これにより、ファン２から離れた位置に設けられた排気孔４６から排出される気流の強さを強くすることができる。すなわち、ファン２からの距離に関わらず、複数の排気孔４６の各々から排出される気流の強さの均一化を図ることができる。これにより、効率よく誘引気流を発生させることができ、廊下５に流れる空気の送風効率をより向上させることが可能となる。なお、複数の排気孔４６各々の開口寸法を、排気孔４６が設けられる位置が収納部４２から離れるにつれて徐々に大きくする構成に限らない。例えば、排気孔４６として、開口寸法が小さい第１排気孔と、第１排気孔よりも開口寸法が大きい第２排気孔とを採用する。そして、収納部４２からの距離が所定距離未満の位置に設けられる排気孔４６には第１排気孔を採用し、収納部４２からの距離が所定距離以上の位置に設けられる排気孔４６には第２排気孔を採用するように構成されていてもよい。
【００３２】
また、複数の排気孔４６のうち支持体４の周方向において隣り合う排気孔４６の間の距離（間隔）は、一定でなくてもよい。例えば、収納部４２から離れた位置における排気孔４６の間隔を、収納部４２に近い位置における排気孔４６の間隔よりも小さくする。これにより、ファン２から離れた位置に設けられた排気孔４６から排出される気流の強さを強くすることができる。すなわち、ファン２からの距離に関わらず、複数の排気孔４６の各々から排出される気流の強さの均一化を図ることができる。これにより、効率よく誘引気流を発生させることができ、廊下５に流れる空気の送風効率をより向上させることが可能となる。なお、排気孔４６の間隔は、排気孔４６が設けられる位置が収納部４２から離れるにつれて徐々に大きくする構成に限らない。例えば、排気孔４６の間隔として、距離が大きい第１間隔と、第１間隔よりも距離が短い第２間隔とを採用する。そして、収納部４２からの距離が所定距離未満に設けられる排気孔４６の間隔には第１間隔を採用し、収納部４２からの距離が所定距離以上に設けられる排気孔４６には第２間隔を採用するように構成されていてもよい。
【００３３】
また、本実施形態では、支持体４の第１面４４１に吸気孔４５が設けられ、ファン２は、廊下５の空気を吸入するように構成されているが、この構成に限らない。例えば、送風装置１は、収納部４２と床下の空間とを繋ぐダクトを備え、ダクトの下端に吸気孔が設けられていてもよい。これにより、夏季は冷たく、冬季は暖かい床下の空気を廊下５に送り込むことができ、空調設備の電気料金の削減を図ることが可能となる。
【００３４】
なお、支持体４は、廊下５を形成する構造物（床５１、天井５２、及び壁５３）の一部に沿って配置されていればよい。例えば、支持体４は、上辺部４１２と一対の側辺部４１３とが組み合わされて逆Ｕ字状に形成されていてもよい。また、支持体４は、一対の側辺部４１３で構成され、各側辺部４１３がファン２を支持する構成であってもよい。
【００３５】
また、ファン２は、通路を囲むように配置されていればよく、数は６つに限らない。ファン２は、少なくとも、通路を形成する構造物のうち、水平方向に対向する構造物（壁５３、柱、窓など）それぞれの下側及び上側に配置されていればよい。
【００３６】
次に、送風装置１の変形例を図５に示す。本変形例の送風装置１Ａは、支持体４を備えておらず、ファン２Ａは、壁５３に固定されている。本変形例の送風装置１Ａにおいても、廊下５を囲むように配置されたファン２Ａによって、廊下５内に空気を流すことができる。また、本変形例の送風装置１Ａは、ファン２Ａ自体を壁５３に固定するため、廊下５の大きさ（廊下５の幅、天井高）の制約を受けずに設けることができ、既存の施設にも容易に設けることが可能となる。
【００３７】
また、ファン２Ａは、図６Ａ〜図６Ｃに示すように、矩形状の枠体２１に羽根２２が収納されており、空気が吐き出される吐出し口２３の一部が遮蔽部２４によって覆われている。吐出し口２３の開口面積が小さくなることによって、ファン２Ａが生成する気流の速さを向上させることが可能となる。
【００３８】
また、ファン２Ａは、壁５３に埋込収納可能に構成されていてもよい。ファン２Ａを使用する際は、壁５３から引き出される。したがって、ファン２Ａを使用しない際は壁５３に収納することができる。
【００３９】
また、ファン２の形態は、上記に限らず、図７に示すようにタワー型のファン２Ｂで構成されていてもよい。ファン２Ｂは、円柱状の筐体２５の内部に羽根が設けられており、筐体２５の軸方向に沿って形成されたスリット２６から空気が吐き出される。
【００４０】
上述したように、本実施形態の送風装置１は、複数のファン２と、複数のファン２を制御する制御部３とを備える。複数のファン２は、廊下５（通路）を囲むように配置され、廊下５に沿った向きの気流を生成する。上記構成により、廊下５内に空気を流すことができる。廊下５内に空気が流れることで、廊下５が自然風が通り抜けにくい位置にある場合でも、建物内における温度差の抑制を図ることが可能となる。
【００４１】
また、送風装置１は、廊下５（通路）を形成する構造物（床５１、天井５２、壁５３）の少なくとも一部に沿って配置され、複数のファン２を支持する支持体４をさらに備える。上記構成により、ファン２の設置が容易となる。
【００４２】
支持体４は、ファン２の吸気側（図２の右側）に形成された吸気孔４５、及びファン２の排気側（図２の左側）に形成された排気孔４６を有する。ファン２は、吸気孔４５を通して吸入した空気を排気孔４６を通して排出することで気流を生成する。上記構成により、誘引気流によって支持体４の内側にも気流を発生させることができ、廊下５に流れる空気の送風効率を向上させることが可能となる。
【００４３】
送風装置１は、ファン２の吸気側（図２の右側）と排気側（図２の左側）との少なくとも一方側に設けられるエアフィルタ４８をさらに備える。上記構成により、ファン２を通過する空気から塵埃などを除去する空気清浄機能を実現することが可能となる。
【００４４】
制御部３は、ファン２が生成する気流の強さを制御する。上記構成により、廊下５に流れる空気の量（空気量）、風速、風圧などを制御する送風制御を行うことが可能となる。
【００４５】
送風装置１は、気流の通気路の断面積を調整する通気量調整部材４９をさらに備える。上記構成により、廊下５に流れる空気の量を調整することが可能となる。
【００４６】
次に、本実施形態の送風システム１０について、図８を用いて説明する。本実施形態の送風システム１０は、上述した送風装置１と、外部装置７１〜７５とを備える。
【００４７】
外部装置７１は、ＨＥＭＳ（Home Energy Management System）に用いられる管理装置であり、以降、管理装置７１という。外部装置７２は、風量を計測する風量センサであり、以降、風量センサ７２という。外部装置７３は、検知エリア内における人を検知する人感センサであり、以降、人感センサ７３という。外部装置７４は、温度を測定する温度センサであり、以降、温度センサ７４という。外部装置７５は、湿度を測定する湿度センサであり、以降、湿度センサ７５という。
【００４８】
本実施形態の送風システム１０における送風装置１は、ＨＥＭＳの対応機器であり、管理装置７１の通信部７１１と通信を行う通信部１１を備えている。なお、送風装置１と管理装置７１との間の通信手段は、信号線を介した有線通信であってもよいし、無線信号を媒体とした無線通信であってもよい。
【００４９】
風量センサ７２、人感センサ７３、温度センサ７４、湿度センサ７５、空調設備７６、及びシャッター７７は、それぞれ、ＨＥＭＳの対応機器であり管理装置７１の通信部７１１と通信可能に構成されている。管理装置７１は、送風装置１、風量センサ７２、人感センサ７３、温度センサ７４、湿度センサ７５、空調設備７６、及びシャッター７７の監視及び制御を行う制御部７１２を備えている。また、管理装置７１の通信部７１１は、ルータ６１を介して電気回線６２（例えばインターネット回線）に接続されている。
【００５０】
風量センサ７２は、廊下５に配置されており、廊下５に流れる空気の量（風量）を計測し、計測結果を管理装置７１に出力する。人感センサ７３は、廊下５に繋がった部屋に配置されており、部屋内を検知エリアとする。そして、人感センサ７３は、部屋内における人の存否を検知し、検知結果を管理装置７１に出力する。温度センサ７４は、屋内（例えば廊下５に繋がった部屋）の温度（屋内温度）を測定する屋内温度測定部７４１と、屋外の温度（外気温）を測定する屋外温度測定部７４２とを備える。屋内温度測定部７４１及び屋外温度測定部７４２は、それぞれ、測定結果を管理装置７１に出力する。湿度センサ７５は、屋内（例えば廊下５に繋がった部屋）の湿度を測定する屋内湿度測定部７５１と、屋外の湿度を測定する屋外湿度測定部７５２とを備える。屋内湿度測定部７５１及び屋外湿度測定部７５２は、それぞれ、測定結果を管理装置７１に出力する。空調設備７６は、例えばエアコンディショナであり、廊下５に繋がった部屋に設置されている。そして、空調設備７６は、動作状態を管理装置７１に通知する。シャッター７７は、例えば廊下５に繋がった部屋の窓に設置されており、開閉状態を管理装置７１に通知する。また、管理装置７１の制御部７１２は、電気回線６２を介して気象サーバ６３から気象情報を取得する。
【００５１】
そして、制御部７１２は、風量センサ７２、人感センサ７３、温度センサ７４、湿度センサ７５、空調設備７６、シャッター７７、及び気象サーバ６３から取得したデータを環境情報として送風装置１に出力する。環境情報とは、送風装置１の周囲における環境、状態などを示すデータである。本実施形態における環境情報は、風量センサ７２の計測結果、人感センサ７３の検知結果、温度センサ７４の測定結果、湿度センサ７５の測定結果、空調設備７６の動作状態、シャッター７７の開閉状態、気象サーバ６３の気象情報である。なお、上述した環境情報は一例であり、異なるデータが含まれていてもよい。例えば、窓の開閉状態を検知する窓センサの検知結果が環境情報に含まれていてもよい。
【００５２】
送風装置１の制御部３は、上記の環境情報に基づいてファン２を制御する。以下に、環境情報に基づいたファン２の制御の一例を示す。
【００５３】
制御部３は、風量センサ７２の計測結果が閾値以上である場合、ファン２を停止させる。例えば窓が開いており、屋外からの風が廊下５に流れている場合、送風装置１による送風が不要となる。このような場合、ファン２を停止することによって、電気料金の削減を図ることができる。なお、制御部３は、風量センサ７２の計測結果に基づいて、ファン２が生成する気流の強さを段階的または連続的に変動させてもよい。また、風量センサ７２は、送風装置１によって生成される気流の風量を計測しないように、送風装置１に対してファン２の吸気側に配置されていることが望ましい。
【００５４】
また、制御部３は、人感センサ７３が部屋内における人の存在を検知している場合にファン２を稼働させ、人感センサ７３が部屋内における人の不在を検知した場合にファン２を停止させる。これにより、人が不在であり廊下５への送風が不要である場合は、ファン２が停止されるので電気料金の削減を図ることができる。なお、制御部３は、人が不在となってから所定時間後にファン２を停止するように構成されていてもよい。
【００５５】
また、制御部３は、気象サーバ６３の気象情報が示す外気温、あるいは屋外温度測定部７４２が測定した外気温が、閾値（例えば２７℃）以上である場合にファン２を稼働させ、外気温が閾値未満である場合にファン２を停止させる。これにより、夏季において外気温が高い際にファン２が自動的に稼働するので、廊下５に熱が籠ることが抑制される。
【００５６】
また、制御部３は、空調設備７６が稼働状態である場合にファン２を停止させ、空調設備７６が停止状態である場合にファン２を稼働させる。これにより、送風装置１と空調設備７６との一方のみが稼働することで、電気料金の削減を図ることができる。また、送風装置１が、空調設備７６の動作状態に連動して送風制御することが可能となり、建物内における温度差の抑制を効率よく行うことが可能となる。
【００５７】
また、制御部３は、シャッター７７が開状態である場合にファン２を停止させ、シャッター７７が閉状態である場合にファン２を稼働させる。なお、制御部３は、シャッター７７が閉状態である場合にファン２を停止させ、シャッター７７が開状態である場合にファン２を停止させるように構成されていてもよい。このように、制御部３がシャッター７７の開閉状態に応じてファン２を制御することで、シャッター７７の開閉による廊下５の通風状態などに応じた送風制御を行うことが可能となる。
【００５８】
また、管理装置７１は、送風装置１と空調設備７６との動作が連動するように制御している。制御部７１２は、屋内温度測定部７４１が測定した屋内温度（室温）が所定温度となるように、空調設備７６を稼働させる。室温が所定温度に達すると、制御部７１２は、空調設備７６を停止させ、送風装置１（ファン２）を稼働させる。これにより、送風装置１と空調設備７６とが交互に稼働することで、空調設備７６が設置された部屋及び廊下５の温度が所定温度に保たれる。また、送風装置１と空調設備７６との一方のみが稼働することで、電気料金の削減を図ることができる。
【００５９】
また、管理装置７１は、廊下５が設けられた建物における消費電力量を監視する監視部７１３を備えている。制御部７１２は、１日当たりの消費電力量が閾値を上回ると予測される場合、空調設備７６を停止し、送風装置１を稼働させる。これにより、快適さを損なうことなく、消費電力量の削減を図ることができる。なお、監視部７１３は、建物における電気料金を監視するように構成され、制御部７１２は、１日当たりの電気料金が閾値を上回ると予測される場合、空調設備７６を停止し、送風装置１を稼働させるように構成されていてもよい。
【００６０】
なお、本実施形態では、送風装置１は、管理装置７１を介して上記の環境情報を取得しているが、送風装置１が、風量センサ７２、人感センサ７３、温度センサ７４、湿度センサ７５などと通信を行い、環境情報を直接取得するように構成されていてもよい。
【００６１】
なお、本実施形態の送風システム１０における送風装置１は、送風装置１の変形例である送風装置１Ａ（図５参照）であってもよい。
【００６２】
上述したように、本実施形態の送風システム１０は、送風装置１と、環境情報を取得する外部装置７１〜７５とを備える。制御部３は、取得した環境情報に基づいてファン２を制御する。上記構成により、送風システム１０は、環境情報に応じた送風制御を行うことが可能となる。
【００６３】
外部装置は、通路に流れる気流の量を計測する風量センサ７２を含む。制御部３は、風量センサ７２の計測結果に基づいてファン２を制御する。上記構成により、廊下５に自然風が流れている場合、ファン２を停止させ、電気料金の削減を図ることが可能となる。
【００６４】
外部装置は、人を検知する人感センサ７３を含む。制御部３は、人感センサ７３の検知結果に基づいてファン２を制御する。上記構成により、人が不在である場合、ファン２を停止させ、電気料金の削減を図ることが可能となる。
【００６５】
管理装置７１（外部装置）は、空調設備７６の動作状態を環境情報として取得する。制御部３は、空調設備７６の動作状態に基づいてファン２を制御する。上記構成により、送風装置１は、空調設備７６の動作状態に連動して送風制御することが可能となり、建物内における温度差の抑制を効率よく行うことが可能となる。
【００６６】
なお、送風システム１０は、管理装置７１と通信可能に構成されたサーバ装置をさらに備えていてもよい。サーバ装置は、上述した管理装置７１の制御部７１２の機能（送風装置１、風量センサ７２、人感センサ７３、温度センサ７４、湿度センサ７５、空調設備７６、及びシャッター７７を制御する機能）の一部を担うように構成されている。例えば、管理装置７１は、取得した環境情報を電気回線６２を介してサーバ装置に送信する。サーバ装置は、環境情報に基づいて送風装置１、空調設備７６などに対する制御指示を作成し、管理装置７１に送信する。管理装置７１は、サーバ装置で作成された制御指示に基づいて、送風装置１、空調設備７６の動作を制御する。このように、サーバ装置が、送風装置１、空調設備７６などに対する制御指示を作成する機能を担うことで、管理装置７１における処理負荷の軽減を図ることが可能となる。
【００６７】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００６８】
１  送風装置
１０  送風システム
２，２Ａ，２Ｂ  ファン
３  制御部
４  支持体
４５  吸気孔
４６  排気孔
４８  エアフィルタ
４９  通気量調整部材
５  廊下（通路）
５１  床（構造物）
５２  天井（構造物）
５３  壁（構造物）
７１  管理装置（外部装置）
７２  風量センサ（外部装置）
７３  人感センサ（外部装置）
７６  空調設備
【図１】
2017032246.tif 000003
【図２】
2017032246.tif 000004
【図３】
2017032246.tif 000005
【図４】
2017032246.tif 000006
【図５】
2017032246.tif 000007
【図６】
2017032246.tif 000008
【図７】
2017032246.tif 000009
【図８】
2017032246.tif 000010